(57)【要約】【課題】簡単な操作で２つのズーム動作を切り換えて、ユーザに使い勝手のよいズーム駆動制御を提供する。【解決手段】ＣＰＵ１０は、モータ駆動電圧制御回路２４によりモータドライバ２３への印加電圧をコントロールし、さらにモータドライバ２３でズームモータ２１を駆動するための信号を送りＯＮ／ＯＦＦ制御する。エンコーダ２５はＣＰＵ１０のメイン制御部２０のポートにズームモータ２１の回転量に応じたパルスを出力し、このパルス数を検出して鏡胴２２ｂの繰り出し時、収納時の処理を行うとともに、通常ズーム処理やステップズーム処理を行う。そして、２つのズーム動作の制御をスイッチのＯＮ／ＯＦＦ変化で設定するスイッチフラグと、スイッチのＯＮ／ＯＦＦ状態とタイマーとで設定する押し続けフラグとにより行う。スイッチの簡単な操作によりステップズーム動作の制御と、ステップズーム動作と通常ズーム動作の切り換え制御を行ことができる。【選択図】図３
2009169065.tif 000002
【特許請求の範囲】
【請求項１】
光学部品のズーム駆動を指示するスイッチの状態を検出して、前記スイッチのオンの状態を検出したときにズーム駆動を開始し、また前記スイッチのオフの状態を検出したときにズーム駆動を停止する通常ズーム動作と、前記スイッチのオフからオンとなる状態変化を検出する毎に予め決められた位置までズーム駆動するステップズーム動作とを有するズーム駆動制御方法であって、
前記ステップズーム動作において、前記スイッチのオン状態を所定時間継続したことを検出したとき、前記通常ズーム動作に切り換えることを特徴とするズーム駆動制御方法。
【請求項２】
光学部品のズーム駆動を指示するスイッチの状態を検出して、前記スイッチのオンの状態を検出したときにズーム駆動を開始し、また前記スイッチのオフの状態を検出したときにズーム駆動を停止する通常ズーム動作と、前記スイッチのオフからオンとなる状態変化を検出する毎に予め決められた位置まで順にズーム駆動するステップズーム動作とを有するズーム駆動制御方法であって、
前記通常ズーム動作において、前記スイッチのオン状態を所定時間継続したことを検出したとき、前記ステップズーム動作に切り換えることを特徴とするズーム駆動制御方法。
【請求項３】
前記ステップズーム動作において、予め決められた第１の位置までズーム駆動した後、スイッチのオン状態を所定時間継続したことを検出したとき、第２の位置までズーム駆動することを特徴とする請求項１または２記載のズーム駆動制御方法。
【請求項４】
第１および第２の速度のどちらかで行うズーム駆動を指示するスイッチの状態を検出して、前記スイッチの状態に応じた前記第１または第２の速度により前記ズーム駆動を切り換える可変ズーム動作と、前記スイッチの状態が第１および第２の速度のどちらのズーム駆動を指示する状態であっても所定速度で前記ズーム駆動を行う定速ズーム動作とを有することを特徴とする請求項１〜３のいずれか１項に記載のズーム駆動制御方法。
【請求項５】
前記第１の速度でズーム駆動するときにはステップズーム動作により駆動し、前記第２の速度でズーム駆動するときには通常ズーム動作により駆動することを特徴とする請求項４記載のズーム駆動制御方法。
【請求項６】
光学部品のズーム駆動を指示するスイッチの状態を検出する検出手段と、前記検出手段がスイッチのオンの状態を検出したときにズーム駆動を開始し、また前記スイッチのオフの状態を検出したときにズーム駆動を停止する通常ズーム動作、および前記スイッチのオフからオンとなる状態変化を検出する毎に予め決められた位置までズーム駆動するステップズーム動作の制御を行う制御手段とを備えたズーム駆動制御装置において、
前記制御手段が、前記ステップズーム動作中に、前記検出手段によりスイッチのオン状態が所定時間継続したことを検出したとき、前記通常ズーム動作に切り換えることを特徴とするズーム駆動制御装置。
【請求項７】
光学部品のズーム駆動を指示するスイッチの状態を検出する検出手段と、前記検出手段がスイッチのオンの状態を検出したときにズーム駆動を開始し、また前記スイッチのオフの状態を検出したときにズーム駆動を停止する通常ズーム動作、および前記スイッチのオフからオンとなる状態変化を検出する毎に予め決められた位置までズーム駆動するステップズーム動作の制御を行う制御手段とを備えたズーム駆動制御装置において、
前記制御手段が、前記通常ズーム動作中に、前記検出手段によりスイッチのオン状態が所定時間継続したことを検出したとき、前記通ステップズーム動作に切り換えることを特徴とするズーム駆動制御装置。
【請求項８】
前記ステップズーム動作において、予め決められた第１の位置までズーム駆動した後、検出手段によりスイッチのオン状態を所定時間継続したことを検出したとき、第２の位置までズーム駆動することを特徴とする請求項６または７記載のズーム駆動制御装置。
【請求項９】
第１および第２の速度のどちらかで行うズーム駆動を指示するスイッチの状態を検出する検出手段と、前記スイッチの状態に応じた前記第１または第２の速度により前記ズーム駆動を切り換える可変ズーム動作、および前記スイッチの状態が第１および第２の速度のどちらのズーム駆動を指示する状態であっても所定速度で前記ズーム駆動を行う定速ズーム動作の制御を行う制御手段とを備えたことを特徴とする請求項６〜８のいずれか１項に記載のズーム駆動制御装置。
【請求項１０】
前記制御手段が第１の速度でズーム駆動するときにはステップズーム動作により駆動し、前記第２の速度でズーム駆動するときには通常ズーム動作により駆動することを特徴とする請求項９記載のズーム駆動制御装置。
【請求項１１】
請求項１〜５のいずれか１項に記載のズーム駆動制御方法により光学部品を駆動することを特徴とする撮像装置。
【発明の詳細な説明】
【技術分野】
【０００１】
本発明は、カメラやデジタルカメラ等の撮像装置において用いられる光学部品を駆動するズーム機能に係り、そのズーム駆動制御方法および制御装置、並びに撮像装置に関するものである。
【背景技術】
【０００２】
近年の電子機器の高機能化および操作性の向上に伴って、デジタルカメラなどの光学機器に関しても高性能化のみならず高い操作性が要求されている。従来の光学機器においては、例えば、被写体に対する画角を連続的に変化させるズーム機能を有しており、特許文献１に記載されるようなズーム駆動系の構成を簡略化したものがある。これにより、使用者は、所望の画角で被写体を撮影することが可能となり、されに、光学機器には、固定速ズームモードだけでなく、可変速ズームモードを有するものも開発されている。この場合、可変速ズームモードは、ズーム速度を設定するダイヤルによってズーム速度を変化させていた。
【０００３】
また、ズーム機能を用いる撮影シーンによっては、ズームを自由に動かして撮影範囲を決めたい場合と、あらかじめ決められた位置まで大きく一気に動かしたい場合とがある。このような場合に対応できるように、通常モードと、ステップズームモードが設定メニューにより切り換えられるようになっている光学機器が製品化されている。
【０００４】
このズーム速度の設定においては、各ズームモード（固定速ズームモードおよび可変速ズームモード等）の一つしか設定を行うことができず、固定速ズームもしくは可変速ズームのどちらか一方のモードのみしかズーム速度の設定ができず、それにより、光学機器の機能性が悪かった。
【０００５】
また、機能性と操作性向上させるために、ズーム動作を指示するズーム操作スイッチに与えられる押圧量に依存してズーム速度が変化するモードと、押圧量に依存せずに一定速度であるモードを有し、これらのモードでのズーム速度の変更を指示する速度設定スイッチと、２つのモードの切り替えを指示する切替スイッチを有した光学機器が特許文献２に記載されている。
【特許文献１】特許第３９６６６４６号公報
【特許文献２】特開２００７−０６５３８５号公報
【発明の開示】
【発明が解決しようとする課題】
【０００６】
しかしながら、このような構成の光学機器では、設定メニュー操作によりモードを切り換えるため、操作に数回のキー操作が必要であり、この設定を撮影最中に素早く切り換えることができず操作性が悪いという問題があった。
【０００７】
本発明は、前記従来技術の問題を解決することに指向するものであり、簡単な操作で２つのズーム動作を切り換えることができ、ユーザに使い勝手のよい駆動制御を行うズーム駆動制御方法および制御装置、並びに撮像装置を提供することを目的とする。
【課題を解決するための手段】
【０００８】
前記の目的を達成するために、本発明は、光学部品のズーム駆動を指示するスイッチの状態を検出する検出手段と、検出手段がスイッチのオンの状態を検出したときにズーム駆動を開始し、またスイッチのオフの状態を検出したときにズーム駆動を停止する通常ズーム動作、およびスイッチのオフからオンとなる状態変化を検出する毎に予め決められた位置までズーム駆動するステップズーム動作の制御を行う制御手段とを備えたズーム駆動制御装置において、制御手段が、ステップズーム動作中に、検出手段によりスイッチのオン状態が所定時間継続したことを検出したとき、通常ズーム動作に切り換えることによって、また、通常ズーム動作中に、検出手段によりスイッチのオン状態が所定時間継続したことを検出したとき、通常ステップズーム動作に切り換えることによって、さらに、ステップズーム動作において、予め決められた第１の位置までズーム駆動した後、検出手段によりスイッチのオン状態を所定時間継続したことを検出したとき、第２の位置までズーム駆動することによって、簡単な操作でズーム動作を切り換えられ、ユーザに使い勝手のよい駆動制御を行うことができる。
【０００９】
また、前述の第１および第２の速度のどちらかで行うズーム駆動を指示するスイッチの状態を検出する検出手段と、スイッチの状態に応じた第１または第２の速度によりズーム駆動を切り換える可変ズーム動作、およびスイッチの状態が第１および第２の速度のどちらのズーム駆動を指示する状態であっても所定速度でズーム駆動を行う定速ズーム動作の制御を行う制御手段とを備えたことによって、ユーザにより使い勝手のよいズーム駆動制御を行うことができる。
【００１０】
さらに、制御手段が第１の速度でズーム駆動するときにはステップズーム動作により駆動し、第２の速度でズーム駆動するときには通常ズーム動作により駆動することによって、予め決められた停止位置まで一気に駆動することができ、ズーム動作に応じた駆動速度の制御ができる。
【００１１】
また、撮像装置においては、前述したズーム駆動制御により光学部品を駆動することを特徴とする。
【発明の効果】
【００１２】
本発明によれば、簡単な操作で２つのズーム動作を切り換えることができ、ユーザに使い勝手のよいズーム駆動制御を行うことができるという効果を奏する。
【発明を実施するための最良の形態】
【００１３】
以下、図面を参照して本発明における実施の形態を詳細に説明する。
【００１４】
図１は本発明の実施形態におけるデジタルカメラの概略構成を示したブロック図である。実施形態のデジタルカメラは、レンズ１、オートフォーカス（ＡＦ）２等を含むレンズユニット、ＣＣＤ３、ＣＤＳ回路４、Ａ／Ｄ変換器５、デジタル信号処理部６、画像圧縮・伸長部７、カードインターフェース（Ｉ／Ｆ）８、ＰＣカードＩ／Ｆ９、ＣＰＵ１０、モニタ１１、操作部１２、モータドライバ１３、ＳＧ（制御信号生成）部１４、バッテリー１５、ＤＣ−ＤＣコンバータ１６、および内蔵メモリ１７を具備して構成されている。
【００１５】
レンズユニットは、レンズ１、オートフォーカス（ＡＦ）・絞り・フィルタ部を含むメカ機構等からなり、メカ機構のメカニカルシャッターは２つのフィールドの同時露光を行う。ＣＣＤ（電荷結合素子）３は、レンズユニットを介して入力した映像を電気信号（アナログ画像データ）に変換する。ＣＤＳ（相関２重サンプリング）回路４は、ＣＣＤ（撮像素子）３に対する低雑音化のための回路である。
【００１６】
また、Ａ／Ｄ変換器５は、ＣＤＳ回路４を介して入力したＣＣＤ３からのアナログ画像データをデジタル画像データに変換する。即ちＣＣＤ３の出力信号は、ＣＤＳ回路５を通してＡ／Ｄ変換器５で最適なサンプリング周波数（例えばＮＴＳＣ信号のサブキャリア周波数の整数倍）にてデジタル信号に変換される。
【００１７】
また、デジタル信号処理部６は、Ａ／Ｄ変換器５から入力したデジタル画像データについて、色差（Ｃｂ，Ｃｒ）と輝度（Ｙ）に分けて各種処理、補正および画像圧縮・伸長のためのデータ処理を施す。画像圧縮・伸長部７は、例えばＪＰＥＧ準拠の画像圧縮・伸長の一過程である直交変換、並びに、ＪＰＥＧ準拠の画像圧縮・伸長の一過程であるハフマン符号化・復号化等を行う。
【００１８】
内蔵メモリ１７は、ＣＰＵ１０とバスで接続されて、例えばＤＲＡＭ、ＳＲＡＭ、またはフラッシュメモリ等で実現されている。即ち、内蔵メモリ１７には、撮像し圧縮処理された画像データ、あるいは、図示しない伝送部を介して受信された画像データ等が記録される。
【００１９】
また、内蔵メモリ１７に保持された圧縮画像データは、カードインターフェース（Ｉ／Ｆ）８を通して読み出され、ＰＣカードＩ／Ｆ９を介して接続されるＰＣカード等の記憶媒体へ記録される。
【００２０】
ＣＰＵ１０は、操作部１２からの指示、あるいは図示しないリモコン等の外部動作指示に従い、前記デジタルカメラ内部の全動作を制御する。また、操作部１２は、機能選択、撮影指示、およびその他の各種設定を外部から行うための各種スイッチを備えている。
【００２１】
また、カメラ電源は電池、例えばニッカド（ＮｉＣｄ）電池，ニッケル水素，アルカリ電池，リチウム電池等のバッテリー１５から、ＤＣ−ＤＣコンバータ１６に入力され、このデジタルカメラ内部に供給される。
【００２２】
なお、ＤＣ−ＤＣコンバータ１６から、電源電圧ＶｉｎがＣＰＵ１０へ入力され電圧が監視される。また、ＣＰＵ１０からの制御信号ｃｏｎにより、ＣＰＵ１０、モニタ１１、ＣＣＤ３への電源供給が個別にＯＮ・ＯＦＦ制御される。
【００２３】
モニタ１１は、ＬＣＤ，ＬＥＤ，ＥＬ等で実現され、内蔵するＬＣＤコントローラ１１ａにＣＰＵ１０から命令やデータを送ることにより、表示するオプジェクト（マークなどの表示物）の色を変えたり、表示を点滅させたりすることができる。  モニタ１１上には、図２（ａ）に示すように、撮影したデジタル画像データや、伸長処理された記録画像データを表示すると共に、当該デジタルカメラの状態等の情報を画面上に表示する。
【００２４】
また、図２（ｂ）に示すように操作部１２からの指示により、設定メニューでステップズーム動作のＯＮ／ＯＦＦが選択できる。例えば、ステップズーム動作がＯＮに設定されているときは、電源投入後に「ステップズーム動作」からズーム動作を開始し、ステップズーム動作がＯＦＦに設定されているときは、電源投入後に「通常ズーム動作」からズーム動作を開始する。そして、ステップズームで動作する場合、ズームモータの停止位置に応じて、図２（ａ）のようにズーム位置表示バーの上部に焦点距離が表示される。
【００２５】
また、図３は鏡胴にあるズームモータ制御に着目した構成を示すブロック図である。ズームモータ２１は、回転に応じて簡略化のため図示しない駆動ギアを介してズームレンズ２２ａおよび鏡胴２２ｂを収納位置や撮影のための繰り出し位置へ移動することができるものである。
【００２６】
ＣＰＵ１０は、モータ駆動電圧制御回路２４によってモータドライバ２３への印加電圧を、例えば通常速駆動用の電圧「Ｈ」と低速駆動用の電圧「Ｌ」の２段階にコントロールすることができる。このモータ駆動電圧制御回路２４は電源電圧を抵抗分圧によって２段階に切り替えた電圧をモータドライバ２３に印加するものである。
【００２７】
モータドライバ２３は、この電圧によって所要電圧、所要電流を印加してズームモータ２１を駆動するものである。ＣＰＵ１０は、このモータドライバ２３に信号を送り、ズームモータ２１をＯＮ／ＯＦＦすることができる。
【００２８】
また、ズームモータ２１の回転量に応じてパルスを出力するエンコーダ２５はＣＰＵ１０のメイン制御部２０のポートに入力される。ＣＰＵ１０は、このエンコーダ２５のパルス数を検出して、鏡胴２２ｂの繰り出し時、収納時の移動量を検出し、繰り出し処理や収納処理を行う。
【００２９】
図４はズーム動作を指示するズームレバーの接点の状態を示す模式図であり、図４中の「Ｌ１，Ｌ２，Ｒ１，Ｒ２」のどの接点に矢印が接するかの状態をＣＰＵ１０が検出し、その状態に応じて速度、駆動方向を変えて駆動する。すなわち、図の矢印が「Ｌ１」に接するとワイド側に低速で駆動され、「Ｌ２」に接するとワイド側に高速で駆動される。また、「Ｒ１」に接するとテレ側に低速で駆動され、「Ｒ２」に接すると高速で駆動されるようになっている。また、ズームレバー１２ａは図示しないバネ部材により、操作しない状態の場合は、矢印がどこにも接しないＯＦＦの位置に戻る。
【００３０】
また、図５は本実施形態の主要な部分のズーム制御を示すフローチャートであり、図６はズームレバーのスイッチ状態を検出する処理を示すフローチャートである。
【００３１】
図５、図６のフローチャートを参照しながらその動作について詳細に説明する。まず、図５に示すスイッチ状態検出の処理Ｓ１において、図６に示すスイッチ状態の検出処理が呼び出され、図４に示したズームレバー１２ａの「Ｌ１，Ｌ２，Ｒ１，Ｒ２」の状態が検出される。
【００３２】
ここで、図６において、「Ｌ１，Ｌ２，Ｒ１，Ｒ２」の状態検出処理は同じ処理のため、代表して１つのスイッチ状態の検出処理を示している。図６に示すように、スイッチフラグがＯＮしているかどうかチェックする（Ｓ２１）。ＯＮしていれば（Ｓ２１のＹｅｓ）、処理Ｓ２５へジャンプし、ＯＮしていなければ（Ｓ２１のＮｏ）、次の処理Ｓ２２へ進む。
【００３３】
スイッチがＯＮしているかどうかチェックする（Ｓ２２）。図４の矢印（ズームレバー１２ａ）と接点が接触していればＯＮ、接触していなければＯＦＦとなる。スイッチがＯＮしていれば（Ｓ２２のＹｅｓ）、処理Ｓ２３へ進み、ＯＮしていなければ（Ｓ２２のＮｏ）、この処理フローを終了する。
【００３４】
処理Ｓ２２にてスイッチがＯＮ（Ｓ２２のＹｅｓ）のとき、スイッチフラグをＯＮし（Ｓ２３）、処理Ｓ２４へ進む。タイマーをスタートして（Ｓ２４）、処理Ｓ２５に進む。ここで、スイッチがＯＦＦしているか否かをチェックする（Ｓ２５）。ＯＦＦしていれば（Ｓ２５のＹｅｓ）、処理Ｓ２６に進み、スイッチフラグをＯＦＦとする（Ｓ２６）。さらに、押し続けフラグをＯＦＦする（Ｓ２７）。
【００３５】
また、スイッチがＯＦＦしていなければ（Ｓ２５のＮｏ）、処理Ｓ２８に進み、タイマーが終了したか否かをチェックする（Ｓ２８）。例えば、３秒のタイマーであれば、スタートから３秒経過のタイマーの終了を確認する。タイマーが終了していれば（Ｓ２８のＹｅｓ）、処理Ｓ２９に進み、押し続けフラグをＯＮし（Ｓ２９）、終了していなければ、この処理フローから図５の処理Ｓ２へ戻る。
【００３６】
次に、図５に示す処理Ｓ１により呼び出されたスイッチ状態の検出処理が終了すると、処理Ｓ２に進む。ステップズーム動作かどうかチェックし（Ｓ２）、ステップズーム動作であれば（Ｓ２のＹｅｓ）、処理Ｓ３に進み、ステップズーム動作でなければ（Ｓ２のＮｏ）、処理Ｓ１０にジャンプする。
【００３７】
「Ｌ２，Ｒ２」のスイッチフラグがＯＮしているかどうかをチェックする（Ｓ３）。ＯＮしていれば（Ｓ３のＹｅｓ）、処理Ｓ１０にジャンプし、ＯＮしていなければ（Ｓ３のＮｏ）、処理Ｓ４に進む。（表３）に示す第３設定でステップモータを駆動する（Ｓ４）。
【００３８】
ここで、（表１）から（表３）はズームレバー１２ａの「Ｌ１，Ｌ２，Ｒ１，Ｒ２」の状態に応じて設定するモータ電圧と、モータ駆動方向の設定を示す表である。（表３）はステップズーム動作のズームモータの設定を示し、「Ｌ１」がＯＮの場合はモータ電圧を「Ｈ」に設定し、高速でワイド方向に駆動する。「Ｌ２，Ｒ２」がＯＮの場合は何もしない。また、「Ｒ１」がＯＮの場合はモータ電圧を「Ｈ」に設定し、高速でテレ方向に駆動する。「Ｌ１，Ｒ１」がＯＦＦ状態の場合は、モータ電圧をＯＦＦする。
【００３９】
また、ステップズーム動作では、あらかじめ決められた位置、例えば２８ｍｍ，３５ｍｍ，５０ｍｍ，８５ｍｍ，１０５ｍｍ，１３５ｍｍ，２００ｍｍといった焦点距離の位置で移動方向の順に停止する。
【００４０】
前述した焦点距離の位置から次の停止位置に到達したかをチェックする（Ｓ５）。到達していれば（Ｓ５のＹｅｓ）、処理Ｓ６に進み、到達していなければ（Ｓ５のＮｏ）、処理Ｓ７に進む。ＯＮ状態を所定時間継続した押し続けフラグがＯＮしているかどうかをチェックする（Ｓ７）。ＯＮしていれば（Ｓ７のＹｅｓ）、処理Ｓ８に進み、ステップズーム動作をＯＦＦし（Ｓ８）、処理Ｓ９進む。ＯＮしていなければ（Ｓ７のＮｏ）、処理Ｓ１に戻る。また、ステップズーム動作をＯＦＦした後、押し続けフラグをＯＦＦして処理Ｓ１に戻る（Ｓ９）。
【００４１】
一方、処理Ｓ２においてステップズーム動作でなく（Ｓ２のＮｏ）、また「Ｌ２，Ｒ２」のスイッチフラグがＯＮしていれば（Ｓ３のＹｅｓ）、常時低速ズーム動作かどうかをチェックする（Ｓ１０）。例えば、図２（ｂ）に示すセットアップ画面において、前述のステップズームの設定と同様に常時低速ズーム動作の設定を選択する。常時低速ズーム動作がＯＮに設定されているときは、電源投入後に「常時低速ズーム動作」のズーム動作を行い、常時低速モード動作がＯＦＦに設定されているときは、電源投入後に「通常ズーム動作」のズーム動作を行う。
【００４２】
この設定により、常時低速ズーム動作であれば（Ｓ１０のＹｅｓ）、処理Ｓ１２に進み、そうでなければ（Ｓ１０のＮｏ）、処理Ｓ１１に進む。処理Ｓ１１では（表１）に示す第１設定（通常ズーム動作）によりモータ駆動し、処理Ｓ１３に進む。なお、処理Ｓ１０においてチェックされる第１設定と第２設定の選択は予め撮影目的に応じて設定する。
【００４３】
（表１）は通常ズーム動作の設定を示す。「Ｌ１」がＯＮするとモータ電圧を「Ｌ」にして低速で、「Ｌ２」がＯＮするとモータ電圧を「Ｈ」にして高速で、ワイド側にズームモータを駆動する。また、「Ｒ１」がＯＮするとモータ電圧を「Ｌ」にして低速で、「Ｒ２」がＯＮするとモータ電圧を「Ｈ」にして高速で、テレ側にズームモータを駆動する。
【００４４】
処理Ｓ１０のチェックにて、常時低速ズーム動作（Ｓ１０のＹｅｓ）のときは、処理Ｓ１２に進み、第２設定でズームモータを駆動（処理Ｓ１２）する。（表２）は常時低速でズームを駆動する場合の動作の設定を示す。「Ｌ１，Ｌ２」がＯＮするとモータ電圧を「Ｌ」にして低速で、ワイド側にズームモータを駆動する。「Ｒ１，Ｒ２」がＯＮするとモータ電圧を「Ｌ」にして低速で、テレ側にズームモータを駆動する。（表２）の第２設定は、スイッチ「Ｌ１，Ｌ２，Ｒ１，Ｒ２」がいずれの状態であっても所定の速度（低速）にて定速ズームの動作を行う。
【００４５】
【表１】
2009169065.tif 000003
【００４６】
【表２】
2009169065.tif 000004
【００４７】
【表３】
2009169065.tif 000005
その後、可動範囲の限界に達したかどうかをチェックする（Ｓ１３）。達していれば（Ｓ１３のＹｅｓ）、ズームモータを停止し（Ｓ１４）、処理Ｓ１５に進む。押し続けフラグがＯＮしているかどうかをチェックする（Ｓ１５）。ＯＮしていれば（Ｓ１５のＹｅｓ）、ステップズーム動作をＯＮし（Ｓ１６）、押し続けフラグをＯＦＦして処理Ｓ１に戻る（Ｓ１７）。また、ＯＮしていなければ（Ｓ１５のＮｏ）、処理Ｓ１に戻る。
【００４８】
また、別の実施形態として、前述した説明では、ステップズーム動作の図５に示した処理Ｓ７の押し続けフラグＯＮのチェックにおいて、フラグがＯＮしている場合（Ｓ７のＹｅｓ）、処理Ｓ８にてステップズーム動作をＯＦＦしているが、処理Ｓ８の代わりに、（表３）に示す第３設定でズームモータを駆動するようにすれば、ステップズーム動作における第１の停止位置の停止中にズームキーを押しつづけていれば、また、次の停止位置までズームが動作することになる。
【００４９】
以上のように、本実施形態によれば、簡単な操作で切り換えられ、使用者にとって使い勝手のよいズーム駆動を制御する方法や装置、並びにこれを有した撮像装置を提供することができる。
【産業上の利用可能性】
【００５０】
本発明に係るズーム駆動制御方法および制御装置、並びに撮像装置は、簡単な操作で２つのズーム動作を切り換えることができ、ユーザに使い勝手のよいズーム駆動制御でき、光学部品を駆動するズーム機能として有用である。
【図面の簡単な説明】
【００５１】
【図１】本発明の実施形態におけるデジタルカメラの概略構成を示したブロック図
【図２】デジタルカメラの（ａ）は状態画面表示例、（ｂ）は設定メニュー画面表示例を示す図
【図３】鏡胴のズームモータを制御する構成を示すブロック図
【図４】ズーム動作を指示するズームレバーの接点状態を示す図
【図５】主要な部分のズーム制御を示すフローチャート
【図６】ズームレバーのスイッチ状態検出処理を示すフローチャート
【符号の説明】
【００５２】
１  レンズ
２  ＡＦ
３  ＣＣＤ
４  ＣＤＳ回路
５  Ａ／Ｄ変換器
６  デジタル信号処理部
７  画像圧縮・伸長部
８  カードＩ／Ｆ
９  ＰＣカードＩ／Ｆ
１０  ＣＰＵ
１１  モニタ
１１ａ  ＬＣＤコントローラ
１２  操作部
１２ａ  ズームレバー
１３  モータドライバ
１４  ＳＧ部
１５  バッテリー
１６  ＤＣ−ＤＣコンバータ
２０  メイン制御部
２１  ズームモータ
２２ａ  ズームレンズ
２２ｂ  鏡胴
２３  モータドライバ
２４  モータ駆動電圧制御回路
２５  エンコーダ
【図１】
2009169065.tif 000006
【図２】
2009169065.tif 000007
【図３】
2009169065.tif 000008
【図４】
2009169065.tif 000009
【図５】
2009169065.tif 000010
【図６】
2009169065.tif 000011
【手続補正書】
【提出日】平成20年2月6日(2008.2.6)
【手続補正１】
【補正対象書類名】特許請求の範囲
【補正対象項目名】請求項７
【補正方法】変更
【補正の内容】
【請求項７】
光学部品のズーム駆動を指示するスイッチの状態を検出する検出手段と、前記検出手段がスイッチのオンの状態を検出したときにズーム駆動を開始し、また前記スイッチのオフの状態を検出したときにズーム駆動を停止する通常ズーム動作、および前記スイッチのオフからオンとなる状態変化を検出する毎に予め決められた位置までズーム駆動するステップズーム動作の制御を行う制御手段とを備えたズーム駆動制御装置において、
前記制御手段が、前記通常ズーム動作中に、前記検出手段によりスイッチのオン状態が所定時間継続したことを検出したとき、前記通常ステップズーム動作に切り換えることを特徴とするズーム駆動制御装置。
【手続補正２】
【補正対象書類名】明細書
【補正対象項目名】０００２
【補正方法】変更
【補正の内容】
【０００２】
近年の電子機器の高機能化および操作性の向上に伴って、デジタルカメラなどの光学機器に関しても高性能化のみならず高い操作性が要求されている。従来の光学機器においては、例えば、被写体に対する画角を連続的に変化させるズーム機能を有しており、特許文献１に記載されるようなズーム駆動系の構成を簡略化したものがある。これにより、使用者は、所望の画角で被写体を撮影することが可能となり、さらに、光学機器には、固定速ズームモードだけでなく、可変速ズームモードを有するものも開発されている。この場合、可変速ズームモードは、ズーム速度を設定するダイヤルによってズーム速度を変化させていた。